(57)【特許請求の範囲】
【請求項１】
相対する三角状組立体から成り、いずれの三角状組立体も外斜面部と内斜面部とこの中間の底面部と取付片とをそれぞれ折曲線を介して設け、この両三角状組立体の両取付片の折曲線端部および両底面部と内斜面部との折曲線端部にそれぞれ凹溝を設け、必要数を並列設置した相対する両三角状組立体の両内斜面部と両取付部における上下の凹溝間にそれぞれ伸縮部材を掛け渡して緊張状態を保持せしめるとともに両三角状組立体の両内斜面部と両取付部とにより四角状立方体の対角線部を構成し、このように成る中子体を高低段部から成る基本体の各段部内に収納し、前記四角状立方体の対角線部における伸縮部材の伸縮作用によって全体を開閉し得るようにすることを特徴とする商品陳列体。
【請求項２】
後段部，中段部および前段部から成る基本体の外面部に、前記後段部上には後背面板を有する最上段載せ台部を，前記中段部上には中背面板を有する次段載せ台部を，前記前段部上には前背面板を有する次々段載せ台部から成る外装体を装着し、このように成る外装体の左右両側部に任意手段により開閉し得る側板を設け、四角状立方体の対角線部方向への押圧により全体を折畳みし得るようにすることを特徴とする請求項１に記載した商品陳列体。
【発明の詳細な説明】
【技術分野】
【０００１】
本発明は、広く商品陳列体に関するもので、各種商品の販売陳列のための構造体が、携帯し易く取扱い簡易なものに関するものである。 
【背景技術】
【０００２】
従来、例えば次に示すような公知文献は存するが、商品の小売店頭において多数段に構築する陳列載置台を印刷製作するメーカーからユーザーに梱包運搬することの利便性や商品の陳列展示時の強度を含む安定性を十分考慮したものではなく、その有用性には課題があった。 
【０００３】
【特許文献１】特開２００３−３８３１３号公報
【特許文献２】特開２００４−２４５５８号公報
【特許文献３】特許第３８４２８４５号公報
【発明の開示】
【発明が解決しようとする課題】
【０００４】
そこで、本発明は、商品陳列用の多数段の載置台の全体を折り畳みし得るようにすることによって陳列載置台のメーカーからユーザーの店頭までの梱包輸送を簡易かつ経済的なものにするとともに、店頭における組立て設置を瞬時に迅速かつ的確に行うことができるものを提供することを目的とする。 
【課題を解決するための手段】
【０００５】
本発明は、相対する三角状組立体から成り、いずれの三角状組立体も外斜面部と内斜面部とこの中間の底面部と取付片とをそれぞれ折曲線を介して設け、この両三角状組立体の両取付片の折曲線端部および両底面部と内斜面部との折曲線端部にそれぞれ凹溝を設け、必要数を並列設置した相対する両三角状組立体の両内斜面部と両取付部における上下の凹溝間にそれぞれ伸縮部材を掛け渡して緊張状態を保持せしめるとともに両三角状組立体の両内斜面部と両取付部とにより四角状立方体の対角線部を構成し、このように成る中子体を高低段部から成る基本体の各段部内に収納し、前記四角状立方体の対角線部における伸縮部材の伸縮作用によって全体を開閉し得るように成るものである。 
【発明の効果】
【０００６】
本発明は、全体を比較的厚い紙製品による商品陳列体であり、店頭において商品の宣伝上のメッセージやブランド等を印刷表示した形態によって設置される多段階から成る陳列載置台を、ユーザーの店頭に至るまでの紙器メーカーからの梱包発送時には陳列体全体を小形に折畳みした状態にしておき、その折畳み状態から解放された時には、一瞬にして陳列台全体を所定の立体状形態に組立てることができるようにしているものであるから、その取扱いはきわめて利便なものとなる。 
【０００７】
したがって、その運搬と設置コストは安価となり、経済性の良い商品陳列体を提供することができる。 
【０００８】
また、陳列商品の大きさや数量などに合わせて、各段の横方向にいかようにも増結できる陳列体となるから、顧客のニーズや店の規模に即応した商品陳列台を提供することができる。       
【実施例】
【０００９】
本陳列体の全体は、基本体Ａ，この基本体の外側に一体に接着する外装体Ｂ，および基本体の内部に収納する複数の中子体Ｃから成り、いずれも厚質紙材によって構成されるものである。 
【００１０】
まず基本体Ａの構成について説明する。 
【００１１】
１は基本体の底面部で、この底面部の後端に折曲線２を介して後背面部３を垂直状に起立するように形成し、この後背面部につづいて折曲線４を介して後段部５を形成し、この後段部につづいて折曲線６を介して後前面部７を形成する。 
【００１２】
前記後前面部７の中央部には適当長さの細長孔８を設け、この細長孔８には後記後舌片２３’が挿入して曲折するようになる。 
【００１３】
前記底面部１の前端に折曲線９を介して前前面部１０を形成し、この前前面部につづいて折曲線１１を介して前段部１２を形成し、この前段部につづいて折曲線１３を介して前後面部１４を形成し、この前後面部につづいて折曲線１５を介してのり代部１６を形成する。 
【００１４】
１７は前記折曲線１３の中央部に設けた切長孔で、この切長孔から間隔をおいた前記折曲線１５の中央部には細長孔１７’を設ける。 
【００１５】
１８・・・は前記底面部１上に設けた基本体組立て時の目印であり、後方目印は後段部５の後前面部７端が、前方目印は前段部１２の前段面部１４端が位置するようになる。 
【００１６】
１９は前後両側部に折曲線２０，２０を介して前後の脚部２１，２１’を設けて成る中段部で、この中段部の前記前後の脚部２１，２１’の中央部には間隔をおいてそれぞれ凹溝２２，２２，２２’，２２’を設けた各中間には前舌片２３と後舌片２３’を設け、この後舌片２３’は前記基本体前面部７上の細長孔８に係合し、前舌片２３は前記折曲線１３上の切長孔１７に係合した後、その先端部は折曲線１５上の細長孔１７’に係止するようになる。 
【００１７】
前記両脚部２１，２１’を有する中段部１９の高さは、前記基本体後段部５の高さと前記基本体前段部１２の高さとの中間位に成り、これによって高，中，低の三段の陳列台を構成する。もちろん、さらにこの中間位においては多数段部から成る陳列台に構成してもよい。 
【００１８】
２４は外装体Ｂ全体の後背面板で、この後背面板の上側部には折曲線２５を介して後背面板の前面に接着する補強部２６を形成する。 
【００１９】
２７，２７は前記後背面板２４の左右両端部に，のり代部２８，２８を折曲線２９，２９を介して接合する略直角三角形状に成る左右側板で、この左右側板の底端部にも折曲線３０，３０を介してのり代部３１，３１を形成し、こののり代部は前記基本体の底面部１の裏面に接着する。 
【００２０】
前記左右側板２７，２７ののり代部２８，２８の内側一部には、前記後背面板２４の裏面部側端の上部に設けた被接合部３２，３２に接離する接合部３３，３３を設ける。 
【００２１】
前記後背面板２４の裏面部側端の下部には、前記被接合部３２，３２と同性質の被接合部７７，７７を設け、この被接合部には後記最上段の載せ台部３４の脚部３６，３６の外縁下端部に設けた接合部４０，４０が接離するように成る。 
【００２２】
前記左右両側板２７，２７の内側に間隔をおいて設けた接合部７８，７８は、後記次段載せ台部４１の脚部４３，４３の上端に設けた被接合部７９，７９に接離するようになるが、後記次々載せ台部６３の脚部５３，５３の上端にも被接合部８０，８０を設け、これと前記左右両側板の接合部７８’，７８’に接離するようになる。 
【００２３】
次に、外装体Ｂを構成する部材について説明する。 
【００２４】
３４は外装体Ｂの最上段の載せ台部で、この載せ台部の左右両側部には折曲線３５，３５をはさんで脚部３６，３６を設けるが、この脚部は一内端部から一外端部との間に折曲線３７，３７を設け、この折曲線をはさんで外側部分は内側方に曲折される内脚部３６’，３６’とする。 
【００２５】
３８，３８は前記内脚部３６，３６’の内縁部に設けた折曲線３９，３９を介して設けたのり代部で、この反対の前記脚部３６，３６の外縁下端部には接合部４０，４０を設ける。 
【００２６】
４１は次段の載せ台部で、この載せ台部の左右両側部には折曲部４２，４２をはさんで脚部４３，４３を設けるが、この脚部は一内端部から一外端部との間に折曲線４４，４４を設け、この折曲線をはさんで外側部分は内側方に曲折される内脚部４３’，４３’とする。 
【００２７】
前記次段載せ台部４１の左右両脚部４３，４３の一端部には被接合部７９，７９を設け、前記左右両側版２７，２７の接合部７８，７８が接離するようになる。 
【００２８】
４５，４５は前記内脚部４３’，４３’の内縁部に設けた折曲線４６，４６を介して設けたのり代部である。 
【００２９】
４７は前記次段載せ台部４１の後縁部において前記脚部４３，４３と同巾位置に設けた折曲線４８を介して設けた中背面板で、この中背面板の外縁部には折曲線４９を介して接着する補強部５０を設ける。 
【００３０】
この背垂直板の補強部５０は、前記最上段の載せ台部３４の高さ位置よりやや上方位にあり、商品のストッパーの役割をする。 
【００３１】
５１は次々段の載せ台部で、この載せ台部の左右両側部には折曲線５２，５２をはさんで脚部５３，５３を設けるが、この脚部は一内端部から一外端部との間に折曲線５４，５４を設け、この折曲線をはさんで外側部分は内側方に曲折される内脚部５３’，５３’とする。 
【００３２】
前記次々段載せ台部５１の左右両脚部５３，５３の一端部には被接合部７９’，７９’を設け、ここに前記左右両側板２７，２７の接合部７８’，７８’が接離するようになる。 
【００３３】
５５，５５は前記内脚部５３’，５３’の内縁部に設けた折曲線５６，５６を介して設けたのり代部である。 
【００３４】
５７は前記次々載せ台部５１の後段部において前記脚部５３，５３と同巾位置に設けた折曲線５８を介して設けた前背面板で、この前背面板の外縁部には折曲線５９を介して接着する補強部６０を設ける。この前背面板の補強部６０は、前記次段載せ台４１の高さ位置よりやや上方位にあり、陳列商品のストッパーの役割をする。 
【００３５】
６１は前記次々載せ台部５１ののり代部６０に接着する補強部６２を折曲線６３を介して設けた前側板部で、この前側板部は全体の最前面部に構成される。前記補強部６２は、前記次次段載せ台部５１の高さ位置よりやや上方位にあり、陳列商品のストッパーの役割をする。 
【００３６】
さらに、前記基本体Ａの後段部５，中段部１９及び前段部１２の内部に収納する中子体Ｃを構成する部材について説明する。本発明の要部はこの中子体Ｃにあり、この中子体が嵌装する基本体の段部数は問題にならない。 
【００３７】
この中子体Ｃは、相対する２個の三角状組立体６４，６５から成るもので、一方の三角状組立体６４は外斜面部６６と内斜面部６７とこの中間の底面部６８と前記外斜面部６６の外端部に折曲線６９を介して巾広の取付片７０とを設け、また外斜面部６６と底面部６８との間には折曲線７１を，底面部６８と内斜面部６７との間には折曲線７２を設けている。 
【００３８】
７３，７３は前記一方の三角状組立体６４の折曲線６９に隣接した広巾取付耳７０の両端部に設けた凹溝である。 
【００３９】
７４，７４は前記一方の三角状組立体６４の折曲線７２に隣接した内斜面部６７の両端部に設けた凹溝である。 
【００４０】
前記一方の三角状組立体６４に相対する他方の三角状組立体６５は、外斜面部６６’と内斜面部６７’とこの中間の底面部６８’と前記外斜面部の外端部の外端部に折曲線６９’を介して巾狭の取付片７０’とを設け、また外斜面部６６’と底面部６８’との間には折曲線７１’を，底面部６８’と内斜面部６７’との間には折曲線７２’を設けている。 
【００４１】
７３’，７３’は前記折曲線６９’に隣接して取付耳７０’の両端部に設けた凹溝である。 
【００４２】
７４’，７４’は前記折曲線７２’に隣接して内斜面部６７’の両端部に設けた凹溝である。 
【００４３】
前記中子体Ｃを構成する前記両三角状組立体６４，６５における内外両斜面部及び底面部の横長さは、前記載せ台部３４，４１，５１の横長さに合わせて任意に成るが、図７及び図８の各実施例については、図９乃至図１１に示すように、同一構成部分から成る両三角状組立体６４，６５は、両底面部６８，６８’をはさんで隣接する両外斜面部６６，６６’と両内斜面部６７，６７’の２つの折曲線７１，７１’，７２，７２’を介して曲折し、また相対する両内斜面部６７，６７’の内側に形成される横間隙部７５を介して長手方向に２つに折畳まれ、また縦方向に隣接する同一構成の両底面部６８，６８’をはさんで両外斜面部６６，６６’と両内斜面部６７，６７’の各折曲線７７，７７’と７８，７８’を介して折畳まれ、かつこの各折曲線の延長線上にある縦間隙部７９，７９’を介して、それぞれ折畳みし得るようになる。 
【００４４】
７６・・は輪ゴムのような伸縮部材で、この伸縮部材は前記相対する２個の三角状組立体６４，６５を連結するために掛け合うものであるが、図７の実施例では３個の三角状組立体が相対関係にあるから、その数も３本となり、図８の実施例では６個の三角組立体から成るから、その数は６本となる。 
【００４５】
したがって、上下方向に各三角状組立体６４，６５の組立て数が増減することによって基本体Ａの各段部の内部に収納される中子体Ｃの横方向長さが変わることになり、使用する伸縮部材の数もこれに比例することになる。 
【００４６】
そこで、図９・図１０に示すように、一方の三角状組立体６４の外斜面部６６を直立し、折曲線６９を介して折込んだ広巾の取付片７０の内側に，内斜面部６７の一部分を挟むとともに、相対する他方の三角状組立体６５の内斜面部６７’を折曲線６９’を介して内入れにして合わせる。 
【００４７】
このような状態においてまず伸縮部材７６を、一方の三角状組立体６４の外斜面部６６と他方の三角状組立体６５の外斜面部６６’の基端部左右両側に設けた凹溝７３，７３，７３’，７３’に掛止め、しかる後に、伸縮部材７６を他方の三角状組立体６５の内斜面部６７’の基端部左右両側に設けた凹溝７４’，７４’に掛止める。この作業時の伸縮部材７６の中間の掛止め状態は図９に示している。 
【００４８】
しかる状態において、さらに他方の三角状立方体６５の外斜面部６６’を底面部６８’との折曲部７１’を支点に折曲げて起立し、その外端の取付片７０’の基端部左右両側に設けた凹溝７３’，７３’を前記一方の三角状組立体６４の取付片７０の凹溝７３，７３に合わせ、ここに伸縮部材７６を引張り掛止めるようにする。 
【００４９】
このような状態において、一方，他方の両三角状組立体６４，６５を一体に合わせた結果、全体が四角状立方体に成る状態を図１０・図１１に示している。このとき、両三角状立方体６４，６５から成る四角状立方体の内部においては、前記両内斜面部６７，６７’が互いに接し合って対角線上に構成されている。 
【００５０】
このように伸縮部材７６・・は、それぞれ相対する２つの三角状組立体６４，６５を合体して四角状立方体を構成するようになるが、これらは使用時においては前記外装体Ｂ及び基本体Ａの内部に中子体Ｃとして収納しており、陳列台全体の補強用具として作用していることになる。 
【００５１】
図７・９・１０・１１にあっては、横長さが三列構成のものを例示しており、このように成る四角状立方体は内部における３本の伸縮部材の引張力によってその全体の形態は保持され、前記四角状立方体形状を構成する３つの三角状立方体は突っ張られたままにあるから、図１０・１１に示した状態のものを梱包状態にするときは、これを手で押圧して図１２・１３に示した圧縮態様にする。 
【００５２】
即ち、四角状立方体は内部の対角線上に配置された両三角状組立体６４，６５の両内斜面部６７，６７’を中心に長手方向に偏平に押圧された状態は図１２に示しているが、これはさらに短手方向に三つ折に畳まれるようになり、これは図１３に示している。 
【００５３】
図１４は横長さが二列構成の中子体を例示しているが、これは前記同様に長手方向に偏平に押圧された状態にし、さらにこれを短手方向に二つ折りされた状態は図１５に示している。また、これは細巾長手方向に二つ折りすることもできる。 
【００５４】
図１６は、伸縮部材の掛け渡しによって保持された各中子体を収納した複数段の載せ台部から成る本陳列台全体を、手で押圧することによって容易に偏平状態に縮小することを示しているが、本陳列台全体をこのような状態において紙器メーカーは所定の薄巾空間を有する包装箱体８０に収容して梱包することになる。 
【００５５】
図１７は、以上で説明した構成から成る本発明の折畳まれた陳列体が、包装箱体８０から取り出された後の過程を図示しているものであるが、その動きは矢印方向に示したとおりであるが、次のようになる。 
【００５６】
伸縮部材の掛け合いによって緊張状態を保持したまま縮小していた陳列体が、収容されていた包装箱体から取り出されると、その瞬間に緊張状態が開放され、その弾発力によって自動的に多数段階に成る陳列台の全体が一瞬のうちに所定の立方体形状を構成するようになる。 
【００５７】
そこで、組立てられている全部材の中で接合部と被接合部との関係にある部分はこれを接合して、最後に左右両側板を多段に成る載せ台部の外装体の左右両側部における接合部と被接合部との接合をもって陳列体の組立てを終了する。 
【００５８】
図１８は組立てられた一陳列台Ｄを複数個，接合部と被接合部との接合を介して並列に設置する場合を示しているが、（ａ）は２個並列、(ｂ)は３個並列の状態を示した例である。 
【００５９】
本発明の商品陳列体の特徴は、多数段の載置台全体を構成する基本体及び外装体から成る各段階の内部に収納する中子体の構成を伸縮部材の掛け渡しによる緊張と収縮の作用によって、紙器メーカーから直接ユーザーの店頭までの梱包輸送と店頭組立て設置を、常に円滑かつ迅速に行うことができるところにある。 
【図面の簡単な説明】
【００６０】
【図１】基本体部の展開図
【図２】図１の基本体部の組立て過程図
【図３】基本体部の組立て斜視図
【図４】載せ台外装体部の展開図
【図５】図３の外装体部の組立て過程図
【図６】外装体部の組立て斜視図
【図７】中子体部の展開図
【図８】他の中子体部の展開図
【図９】図７の中子体部の組立て途中斜視図
【図１０】組立て後の中子体部の一部切欠斜視図
【図１１】図１０の中子体の側面図
【図１２】図１０の中子体部の一折畳み状態図
【図１３】図１２からの中子体部の再折畳み状態図
【図１４】他の中子体部の折畳み状態図
【図１５】他の中子体部の他の折畳み状態図
【図１６】陳列台部全体の押圧状態図
【図１７】陳列台外装体部の組立て途中過程図
【図１８】陳列台部の各実施例図で、（ａ）は２個並列，（ｂ）は３個並列の状態を示す。
【符号の説明】
【００６１】
１                        底面部
２                        折曲線
３                        後背面部
４                        折曲線
５                        後段部
６                        折曲線
７                        後前面部
８                        細長孔
９                        折曲線
１０                      前前面部
１１                      折曲線
１２                      前段部
１３                      折曲線
１４                      前後面部
１５                      折曲線
１６                      のり代部
１７                      切長孔
１７’                    細長孔
１８・・・                目印
１９                     中段部
２０，２０                折曲線
２１，２１’              脚部
２２，２２，２２’，２２’切込部
２３                      前舌片
２３’                    後舌片
２４                      後背面板
２５                      折曲線
２６                      補強部
２７，２７                左右側板
２８，２８                のり代部
２９，２９                折曲線
３０，３０                折曲線
３１，３１                のり代部
３２，３２                被接合部
３３，３３                接合部
３４                      載せ台部
３５，３５                折曲線
３６，３６                脚部
３６’，３６’            内脚部
３７，３７                折曲線
３８，３８                のり代部
３９，３９                折曲線
４０，４０                外縁下端部内側部
４０’，４０’            接合部
４１                      載せ台部
４２，４２                折曲部
４３，４３                脚部
４３’，４３’            内脚部
４４，４４                折曲線
４５，４５                のり代部
４６，４６                折曲線
４７                      中背面板
４８                      折曲線
４９                      折曲線
５０                      補強部
５１                      載せ台部
５２，５２                折曲線
５３，５３                脚部
５３’，５３’            内脚部
５４，５４                折曲線
５５，５５                のり代部
５６，５６                折曲線
５７                      前背面板
５８                      折曲線
５９                      折曲線
６０                      補強部
６１                      前側板部
６２                      補強部
６３                      折曲線
６４，６５                三角状組立体
６６，６６’              外斜面部
６７，６７’              内斜面部
６８，６８’              底面部
６９，６９’              折曲線
７０，７０’              取付耳
７１，７１’              折曲線
７２，７２’              折曲線
７３，７３’              凹溝
７３’，７３              凹溝
７４，７４                凹溝
７４’，７４’            凹溝
７５                      横間隙部
７６・・                  伸縮部材
７７，７７’              折曲線
７８，７８’              折曲線
７９，７９’              縦間隙部
８０                      包装箱体
【図１】
0005107634.tif 000002
【図２】
0005107634.tif 000003
【図３】
0005107634.tif 000004
【図４】
0005107634.tif 000005
【図５】
0005107634.tif 000006
【図６】
0005107634.tif 000007
【図７】
0005107634.tif 000008
【図８】
0005107634.tif 000009
【図９】
0005107634.tif 000010
【図１０】
0005107634.tif 000011
【図１１】
0005107634.tif 000012
【図１２】
0005107634.tif 000013
【図１３】
0005107634.tif 000014
【図１４】
0005107634.tif 000015
【図１５】
0005107634.tif 000016
【図１６】
0005107634.tif 000017
【図１７】
0005107634.tif 000018
【図１８】
0005107634.tif 000019